(57)【要約】【課題】被計測者の歩行に関する運動能力を容易に判断する。【解決手段】土踏まず検出部１４４が、圧力分布センサ１１における被計測者の足裏と接触する接触領域６９から被計測者の足裏に係る土踏まずの状態を示すパラメータを検出する。当該パラメータに基づいて、足首傾斜状態検出部１４５が、被計測者の足首関節の傾斜状態を検出し、足裏湾曲状態検出部１４３が、被計測者の足裏の湾曲状態を検出する。分類部１４６が、足首傾斜状態検出部１４５及び足裏湾曲状態検出部１４３の検出結果に基づいて、被計測者の足型を、歩行に関する運動能力の指標となる、扁平型、回内足型、外側荷重足型、回外足型、凹足型、土踏まず変形足型及び正常な足型に分類する。【選択図】図２
2010069229.tif 000002
【特許請求の範囲】
【請求項１】
被計測者から加えられる圧力をそれぞれ検知する複数の圧力検知領域を有する圧力分布センサと、
被計測者が前記圧力分布センサ上で静止したときに、前記圧力分布センサからの圧力分布データに含まれる前記複数の圧力検知領域のそれぞれで検知される圧力に対応した出力値から、前記圧力分布センサ上における被計測者の荷重状態を検知する検知手段と、
前記検知手段の検知結果に基づいて、被計測者の足型を分類する足型分類手段とを備えていることを特徴とする足型分類装置。
【請求項２】
前記足型分類手段が、
前記検知手段の検知結果から前記圧力分布センサ上における被計測者の各足首関節の左右方向に関する傾斜状態を検出し、検出した前記傾斜状態によって被計測者の足型を分類することを特徴とする請求項1に記載の足型分類装置。
【請求項３】
前記足型分類手段は、
被計測者の足首関節が内側に傾斜していることを検出したときは、当該被計測者の足型を回内足型に分類し、
被計測者の足首関節が第１閾値以下の角度で外側に傾斜していることを検出したときは、当該被計測者の足型を外側荷重足型に分類し、
被計測者の足首関節が前記第１閾値を越える角度で外側に傾斜していることを検出したときは、当該被計測者の足型を回外足型に分類することを特徴とする請求項２に記載の足型分類装置。
【請求項４】
前記足型分類手段が、
前記圧力分布センサにおける被計測者のそれぞれの足裏と接触する各接触領域のうち、当該被計測者の前後方向に関する中央から前方側の領域である前方領域を、前記左右方向に関する中央から内側の領域である内側領域及び前記中央から外側の領域である外側領域に分割し、
当該内側領域に加えられた圧力と当該外側領域に加えられた圧力との差から、前記傾斜状態を検出することを特徴とする請求項２又は３に記載の足型分類装置。
【請求項５】
前記足型分類手段は、被計測者が前記圧力分布センサ上に所定時間静止した状態において、前記内側領域及び前記外側領域に加えられた各圧力の値を積分することを特徴とする請求項４に記載の足型分類装置。
【請求項６】
前記足型分類手段は、前記検知手段の検知結果に基づいて、前記圧力分布センサ上における被計測者の各足裏の湾曲状態を検出し、検出した前記湾曲状態に基づいて、被計測者の足型を分類することを特徴とする請求項１〜５のいずれか１項に記載の足型分類装置。
【請求項７】
前記足型分類手段は、前記圧力分布センサにおける、被計測者のそれぞれの足裏に係る踵の重心位置に対応する踵重心位置と当該足裏の第２指の重心位置に対応する第２指重心位置とを結ぶ足長線の中央近傍の一部であって、当該足裏と接触する接触領域の外に位置する土踏まず線分の長さに基づいて、前記湾曲状態を検出することを特徴とする請求項６に記載の足型分類装置。
【請求項８】
前記足型分類手段は、前記接触領域における被計測者の前後方向に関する後方端から１／４の領域において、最も高い圧力が加えられた点を前記踵重心位置とすることを特徴とする請求項７に記載の足型分類装置。
【請求項９】
前記足型分類手段は、前記接触領域における被計測者の左右方向に関する長さが最も長い領域において、内側から所定比率にある位置を仮想第２指重心位置とし、前記仮想第２指重心位置及び前記踵重心位置を通過する直線と前記接触領域における前記前後方向に関する前方端と接しつつ前記左右方向に延在する直線との交点を前記第２指重心位置とすることを特徴とする請求項７又は８に記載の足型分類装置。
【請求項１０】
前記足型分類手段は、前記土踏まず線分の長さが０であるとき、被計測者の足型を偏平足型に分類することを特徴とする請求項７〜９のいずれか１項に記載の足型分類装置。
【請求項１１】
前記足型分類手段は、前記足長線の長さに対する前記土踏まず線分の長さの比である土踏まず線分長比が、０を越えていると共に第２閾値以下であるとき、被計測者の足型を土踏まず変形足型に分類することを特徴とする請求項７〜１０のいずれか１項に記載の足型分類装置。
【請求項１２】
前記足型分類手段は、前記足長線の長さに対する前記接触領域に係る被計測者の前後方向に関する中央近傍において最も短い被計測者の左右方向に関する長さの比である幅比に基づいて、前記湾曲状態を検出することを特徴とする請求項７〜１１のいずれか１項に記載の足型分類装置。
【請求項１３】
前記足型分類手段は、前記幅比が第３閾値以下であるときは、被計測者の足型を凹足型に分類することを特徴とする請求項１２に記載の足型分類装置。
【発明の詳細な説明】
【技術分野】
【０００１】
本発明は、加齢、病気及びケガなどにより歩行に関する運動能力が低下している患者に対して、運動能力を回復させる運動プログラムを提供するにあたって、当該患者の運動能力を判断するために用いられる足型分類装置に関する。
【背景技術】
【０００２】
加齢、病気及びケガなどにより歩行に関する運動能力が低下している患者の運動能力を回復させるため、ロードセルを用いて患者の立位状態における重心位置を確認しながら、指示された重心位置と一致するように、患者に重心位置を移動させる訓練を行う技術が知られている（特許文献１参照）。
【０００３】
【特許文献１】特開平０７−２７５３０７号公報（図４）
【発明の開示】
【発明が解決しようとする課題】
【０００４】
患者によって運動能力が異なるため、上述した技術では、当該患者の運動能力を回復させるのに適切な訓練が行われていない可能性がある。この点、指導員が患者に様々な動作を指示することによって患者の運動能力を把握した後に、当該患者の運動能力を回復させるのに適切な運動プログラムを指示することが行われているが、患者の運動能力の把握は、指導員の長年の経験に基づいてなされるため、患者の運動能力を正確に把握することが難しい。
【０００５】
本発明の主たる目的は、被計測者の歩行に関する運動能力を容易に把握することができる足型分類装置を提供することである。
【課題を解決するための手段】
【０００６】
本発明の足型分類装置は、被計測者から加えられる圧力をそれぞれ検知する複数の圧力検知領域を有する圧力分布センサと、被計測者が前記圧力分布センサ上で静止したときに、前記圧力分布センサからの圧力分布データに含まれる前記複数の圧力検知領域のそれぞれで検知される圧力に対応した出力値から、前記圧力分布センサ上における被計測者の荷重状態を検知する検知手段と、前記検知手段の検知結果に基づいて、被計測者の足型を分類する足型分類手段とを備えている。
【０００７】
本発明によると、圧力分布センサを用いて、歩行に関する運動能力の指標となる被計測者の足型を分類するため、被計測者の歩行に関する運動能力を容易に把握することができる。これにより、被計測者の運動能力を回復させる適切な運動プログラムを容易に指示することができる。
【０００８】
本発明においては、前記足型分類手段が、前記検知手段の検知結果から前記圧力分布センサ上における被計測者の各足首関節の左右方向に関する傾斜状態を検出し、検出した前記傾斜状態によって被計測者の足型を分類することが好ましい。これによると、歩行に関する運動能力に関連する足首関節の傾斜状態によって足型を分類するため、被計測者の歩行に関する運動能力を正確に把握することができる。
【０００９】
このとき、前記足型分類手段は、被計測者の足首関節が内側に傾斜していることを検出したときは、当該被計測者の足型を回内足型に分類し、被計測者の足首関節が第１閾値以下の角度で外側に傾斜していることを検出したときは、当該被計測者の足型を外側荷重足型に分類し、被計測者の足首関節が前記第１閾値を越える角度で外側に傾斜していることを検出したときは、当該被計測者の足型を回外足型に分類することがより好ましい。これによると、被計測者の足型を、歩行に関する運動能力の指標として好適な、回内足型、外側荷重足型及び回外足型に容易に分類することができる。
【００１０】
これらにおいて、前記足型分類手段が、前記圧力分布センサにおける被計測者のそれぞれの足裏と接触する各接触領域のうち、当該被計測者の前後方向に関する中央から前方側の領域である前方領域を、前記左右方向に関する中央から内側の領域である内側領域及び前記中央から外側の領域である外側領域に分割し、当該内側領域に加えられた圧力と当該外側領域に加えられた圧力との差から、前記傾斜状態を検出してもよい。これによると、簡単なアルゴリズムにより、足首関節の傾斜状態を素早く検出することができる。
【００１１】
このとき、前記足型分類手段は、被計測者が前記圧力分布センサ上に所定時間静止した状態において、前記内側領域及び前記外側領域に加えられた各圧力の値を積分することが好ましい。これによると、被計測者の静止状態が不安定な場合であっても、被計測者の足首関節の傾斜状態を正確に検出することができる。
【００１２】
本発明においては、前記足型分類手段は、前記検知手段の検知結果に基づいて、前記圧力分布センサ上における被計測者の各足裏の湾曲状態を検出し、検出した前記湾曲状態に基づいて、被計測者の足型を分類することが好ましい。これによると、歩行に関する運動能力に関連する足裏の湾曲状態によって足型を分類するため、被計測者の歩行に関する運動能力を正確に把握することができる。
【００１３】
このとき、前記足型分類手段は、前記圧力分布センサにおける、被計測者のそれぞれの足裏に係る踵の重心位置に対応する踵重心位置と当該足裏の第２指の重心位置に対応する第２指重心位置とを結ぶ足長線の中央近傍の一部であって、当該足裏と接触する接触領域の外に位置する土踏まず線分の長さに基づいて、前記湾曲状態を検出することがより好ましい。これによると、湾曲状態を容易に検出することができる。
【００１４】
さらに、このとき、前記足型分類手段は、前記接触領域における被計測者の前後方向に関する後方端から１／４の領域において、最も高い圧力が加えられた点を前記踵重心位置とすることがより一層好ましい。これによると、正確な踵重心位置を容易に得ることができる。
【００１５】
これらにおいて、前記足型分類手段は、前記接触領域における被計測者の左右方向に関する長さが最も長い領域において、内側から所定比率にある位置を仮想第２指重心位置とし、前記仮想第２指重心位置及び前記踵重心位置を通過する直線と前記接触領域における前記前後方向に関する前方端と接しつつ前記左右方向に延在する直線との交点を前記第２指重心位置とすることが好ましい。これによると、第２指が圧力分布センサに接触していなくても、第２指重心位置を推定することができる。
【００１６】
本発明においては、前記足型分類手段は、前記土踏まず線分の長さが０であるとき、被計測者の足型を偏平足型に分類することが好ましい。これによると、被計測者の足型を、歩行に関する運動能力の指標として好適な、偏平足型に容易に分類することができる。
【００１７】
また、本発明においては、前記足型分類手段は、前記足長線の長さに対する前記土踏まず線分の長さの比である土踏まず線分長比が、０を越えていると共に第２閾値以下であるとき、被計測者の足型を土踏まず変形足型に分類することが好ましい。これによると、これによると、被計測者の足型を、足裏のサイズに影響されることなく、歩行に関する運動能力の指標として好適な、土踏まず変形足型に容易に且つ正確に分類することができる。
【００１８】
本発明においては、前記足型分類手段は、前記足長線の長さに対する前記接触領域に係る被計測者の前後方向に関する中央近傍において最も短い被計測者の左右方向に関する長さの比である幅比に基づいて、前記湾曲状態を検出することがより好ましい。これによると、足裏のサイズに影響されることなく、より正確に湾曲状態を検出することができる。
【００１９】
このとき、前記足型分類手段は、前記幅比が第３閾値以下であるときは、被計測者の足型を凹足型に分類することが好ましい。これによると、被計測者の足型を、歩行に関する運動能力の指標として好適な、凹足型に容易に分類することができる。
【発明を実施するための最良の形態】
【００２０】
以下、本発明に係る好適な実施形態について、図面を参照しつつ説明する。図１は、本実施形態の足型分類装置の概略構成を示す外観図である。図２は、足型分類装置１の機能ブロック図である。
【００２１】
足型分類装置１は、被計測者が圧力分布センサ１１上で静止したときの当該被計測者の足型を、歩行に関する運動能力の特性に対応する、扁平型、回内足型、外側荷重足型、回外足型、凹足型、土踏まず変形足型及び正常な足型（後述）に分類するものである。指導者は、足型分類装置１による被計測者の足型の分類結果に基づいて、被計測者の歩行に関する運動能力を把握し、当該被計測者に対して運動能力を回復させる運動プログラムを指示する。
【００２２】
図１に示すように、足型分類装置１は、シート状の圧力分布センサ１１と、圧力分布センサ１１に接続された圧力検出部１２と、パーソナルコンピュータ（パソコン）２０と、圧力検出部１２とパソコン２０とを接続する接続ユニット４０とを備えている。接続ユニット４０は、インターフェースボックス４５及びインターフェースケーブル４６を含んでおり、その両端が圧力検出部１２及びパソコン２０の各入出力インターフェース（図示しない）に接続されている。
【００２３】
圧力分布センサ１１は、多数の感圧センサ１１ａが格子状に配置された圧力検知領域を有している。圧力分布センサ１１の厚さは、約０．１〜０．２ｍｍである。被計測者がその上に立つための十分な剛性を有する検出板は必要ではなく、被計測者の両足は圧力分布センサ１１上に載せることができる。また、圧力分布センサ１１は、シート単体での使用も可能であるが、シートの保護の観点から、ゴムシートを緩衝用に積層してもよい。また、床上へのセッティングを容易にする目的でセンサを保持するアルミなどの金属製や樹脂製の板の上に積層してもよい。
【００２４】
圧力検出部１２は、多数の感圧センサ１１ａのそれぞれに接続されており、各感圧センサ１１ａの状態を検出する。本実施形態においては、各感圧センサ１１ａの状態は、それらに加えられる圧力に対応した０〜２５５のデジタル出力値によって表される。圧力検出部１２は、このデジタル出力値をパソコン２０に対して出力する。
【００２５】
パソコン２０は、ディスプレイ２１と、キーボード２５と、マウス２６と、制御部３０（図２参照）とを有している。ここで、制御部３０には、足型分類装置１に係る各種動作を制御する足型分類プログラムやデータなどが格納されたハードディスク、足型分類装置１の各部の動作を制御する信号を生成するために各種演算を実行するＣＰＵ、ＣＰＵでの演算結果などのデータを一時保管するＲＡＭなどが含まれている。
【００２６】
制御部３０は、図２に示すように、検知部１３１と、足型分類部１４１と、表示制御部１５１とを有している。また、制御部３０には、ディスプレイ２１と、キーボード２５と、マウス２６とが接続されている。
【００２７】
検知部１３１は、圧力分布センサ１１上における被計測者の荷重状態を検知するものであり、圧力分布データ記憶部１３２を有している。圧力分布データ記憶部１３２について、図３を参照しつつ説明する。図３は、被計測者が圧力分布センサ１１上で静止しているときの、圧力分布センサ１１に対する荷重状態を示した図である。図３においては、荷重状態が等圧線状に表示されている（被計測者のそれぞれの足裏と接触する各接触領域６９）。
【００２８】
圧力分布データ記憶部１３２は、圧力検出部１２から接続ユニット４０を介してパソコン２０に送信された圧力分布データを記憶するものである。圧力分布データ記憶部１３２には、圧力分布センサ１１に格子状に配置された多数の感圧センサ１１ａ毎に、計測時間内におけるサンプル時間おきの圧力分布データ（検知結果）が記憶されている。つまり、各サンプル時間に対応する１つの検知時刻における多数の感圧センサ１１ａの圧力分布データが、検知時刻の数だけ記憶されている。この圧力分布データに基づいて、各感圧センサ１１ａで検知される圧力の時間的な変化を把握することができる。したがって、図３に示すような、圧力分布センサ１１に対する荷重状態を示す圧力分布のみならず、当該圧力分布の時間的な変化をも検知することができる。
【００２９】
図２に戻って、足型分類部１４１は、検知部１３１の検知結果、すなわち、圧力分布データ記憶部１３２に記憶された圧力分布データに基づいて、被験者の足型を分類するものである。本実施形態においては、被験者が圧力分布センサ１１上で静止したときの足型を分類する。また、足型分類部１４１は、領域切り出し部１４２と、足裏湾曲状態検出部１４３と、足首傾斜状態検出部１４５と、分類部１４６とを有している。
【００３０】
領域切り出し部１４２は、圧力分布データ記憶部１３２に記憶された圧力分布データに基づいて、圧力分布センサ１１における被計測者のそれぞれの足裏と接触する各接触領域６９を、矩形領域７０によって切り出すものである。図３に示すように、矩形領域７０は、各足の接触領域６９における被計測者を基準とする前方端部及び後方端部と接しつつ左右方向に延びる２本の直線、及び、左方端部及び右方端部と接しつつ前後方向に延びる２本の直線によって画定されている。これにより、矩形領域７０によって１つの接触領域６９が切り出される。
【００３１】
図２に戻って、足裏湾曲状態検出部１４３は、被計測者の足裏の湾曲状態を検出するものであり、土踏まず検出部１４４を有している。
【００３２】
土踏まず検出部１４４について、図４を参照しつつ説明する。図４は、土踏まず検出部１４４の機能を説明するための図である。土踏まず検出部１４４は、被計測者の足裏に係る土踏まずの状態を示すパラメータを検出するものである。具体的には、土踏まず検出部１４４は、図４に示すように、接触領域６９における左右方向に関して最も大きい幅Ｗｍａｘにおいて、内側から３７．５％の位置を仮想第２指重心位置Ｐ１として検出する。また、土踏まず検出部１４４は、矩形領域７０における前後方向に関する後方端から１／４の部分領域７４において、最も高い圧力が加えられる点を踵重心位置Ｐ２として検出する。さらに、土踏まず検出部１４４は、踵重心位置Ｐ２と仮想第２指重心位置Ｐ１と通過する直線と矩形領域７０の前方端辺との交点である第２指重心位置Ｐ３を検出し、さらに、踵重心位置Ｐ２から第２指重心位置Ｐ３まで延在する足長線Ｈを確定して当該足長線Ｈの長さＬ１を検出する。ここで、理想的な足長線は、足裏における第２指の重心位置と踵の重心位置とを結ぶ直線である。しかしながら、第２指が圧力分布センサ１１と接触しないことがあるため、仮想第２指重心位置Ｐ３を用いて第２指重心位置Ｐ３を推定する。
【００３３】
さらに、土踏まず検出部１４４は、足長線Ｈの一部であって、足長線Ｈの中央近傍において接触領域６９の外に位置する土踏まず線分Ｈ’の長さＬ２を検出する。加えて、土踏まず検出部１４４は、各矩形領域７０において、接触領域６９における左右方向に関して最も小さい幅Ｗｍｉｎを検出する。これら、足長線Ｈの長さＬ１、土踏まず線分Ｈ’の長さＬ２、幅Ｗｍｉｎが土踏まずの状態を示すパラメータとなっている。
【００３４】
そして、足裏湾曲状態検出部１４３は、土踏まず検出部１４４が検出した土踏まずの状態を示すパラメータに基づいて、足裏の湾曲状態として検出する。まず、足裏湾曲状態検出部１４３は、足長線Ｈの長さＬ１に対する、土踏まず検出部１４４が検出した土踏まず線分Ｈ’の長さＬ２に比である土踏まず線分長比が、所定の閾値（第２閾値：例えば、０．３３３）以下であるとき（土踏まず線分Ｈ’の長さＬ２が０のときを含む）、当該土踏まず線分長比を被計測者の足裏の湾曲状態として検出する。
【００３５】
さらに、足裏湾曲状態検出部１４３は、それ以外の場合、足長線Ｈの長さＬ１に対する、接触領域６９における左右方向に関して最も小さい幅Ｗｍｉｎの長さの比である幅比を被計測者の足裏の湾曲状態として検出する。
【００３６】
図５を参照しつつ、足首傾斜状態検出部１４５について説明する。図５は、足首傾斜状態検出部１４５の機能を説明するための図である。足首傾斜状態検出部１４５は、圧力分布データ記憶部１３２に記憶された圧力分布データに基づいて、被計測者の足首関節の傾斜状態を検出するものである。具体的には、図５に示すように、足首傾斜状態検出部１４５は、領域切り出し部１４２によって切り出された各矩形領域７０について、矩形領域７０（実質的には接触領域６９）のうち、前後方向に関する中央から前方側の領域である前方領域７１を、左右方向に関する中央から内側の領域である内側領域７２及び中央から外側の領域である外側領域７３に分割する。
【００３７】
そして、足首傾斜状態検出部１４５は、計測時間内において内側領域７２に加えられた圧力の積分値である内側荷重値Ｒ１と、計測時間内において外側領域７３に加えられた圧力の積分値である外側荷重値Ｒ２との差から、当該被計測者の足首関節の傾斜状態を検出する。つまり、足首傾斜状態検出部１４５は、内側荷重値Ｒ１と外側荷重値Ｒ２とに差がなければ、当該被計測者の足首関節が傾斜していないことを検出し、内側荷重値Ｒ１が外側荷重値Ｒ２より大きくなるに伴って、当該被計測者の足首関節が内側に向かって大きく傾斜していることを検出し、外側荷重値Ｒ２が内側荷重値Ｒ１より大きくなるに伴って、当該被計測者の足首関節が外側に向かって大きく傾斜していることを検出する。
【００３８】
図２に戻って、分類部１４６は、足裏湾曲状態検出部１４３によって検出された被計測者の足裏の湾曲状態、及び、足首傾斜状態検出部１４５によって検出された、被計測者の足首関節の傾斜状態に基づいて、被計測者の足型を分類するものである。
【００３９】
分類部１４６は、足裏湾曲状態検出部１４３によって土踏まず線分長比が足裏の湾曲状態として検出された場合で、当該土踏まず線分長比が０（土踏まず線分Ｈ’の長さＬ２が０）であるとき、被計測者の足型を扁平型に分類する。扁平型について、図６及び図７を参照しつつ説明する。図６は、扁平型の足型の接触領域６９を示した図である。図７は、扁平型の程度と接触領域６９との関係を示した図である。なお、図７（ａ）は、軽度の扁平型の接触領域６９を、図７（ｂ）は、中度の扁平型の接触領域６９を、図７（ｃ）は、重度の扁平型の接触領域６９をそれぞれ示している。図６及び図７に示すように、扁平型は、足裏の湾曲が小さくなることによって、土踏まずの領域が小さくなった足型であり、歩行に関する運動能力が低下していることを示している。したがって、扁平型の程度が大きくなる程、土踏まずの領域が小さくなる。分類部１４６は、被計測者の足型を扁平型に分類したとき、さらに、扁平型の程度について分類を行う。このとき、分類部１４６は、足長線Ｈの長さＬ１に対する接触領域６９の前後方向に関する中央における幅Ｗｃｅｎｔｅｒの比である中央幅比が大きくなるに伴って、被計測者の足型を軽度、中度、重度の順に分類する。
【００４０】
また、分類部１４６は、足裏湾曲状態検出部１４３によって土踏まず線分長比が足裏の湾曲状態として検出された場合で、当該土踏まず線分長比が０を越えているとき、土踏まずが変形しているとして、被計測者の足型を土踏まず変形足型に分類する。土踏まず変形足型について、図８を参照しつつ説明する。図８は、土踏まず変形足型の例を示した図である。図８に示すように、土踏まず変形足型は、土踏まずが異常な形状に変形した足型であり、歩行に関する運動能力が低下していることを示している。なお、土踏まず変形足型は、正常な足型から扁平型に移行する途中の形態である。
【００４１】
さらに、分類部１４６は、足裏湾曲状態検出部１４３によって幅比が足裏の湾曲状態として検出された場合で、当該幅比が所定の閾値（第３閾値：例えば、０．３３３）以下であるとき、足裏が過剰に湾曲しているとして、被計測者の足型を凹足型に分類する。凹足型について、図９を参照しつつ説明する。図９は、凹足型の例を示した図である。なお、図９（ａ）は、中央型の凹足型の例を、図９（ｂ）は、後方型の凹足型の例を、図９（ｃ）は、分割型の例をそれぞれ示している。図９に示すように、凹足型は、足裏が過剰に湾曲している足型であり、歩行に関する運動能力が低下していることを示している。そして、分類部１４６は、被計測者の足型を凹足型に分類したとき、さらに、土踏まず検出部１４４によって検出された幅Ｗｍｉｎが、接触領域６９の前後方向に関する中央から所定範囲内に位置しているときは中央型に、当該所定範囲より後方側に位置しているときは後方型に、幅Ｗｍｉｎが０になっているときは分割型に分類する。
【００４２】
そして、分類部１４６は、足首傾斜状態検出部１４５によって、被計測者の足首関節が内側に向かって傾斜していることが検出されたとき、被計測者の足型を回内型に分類し、被計測者の足首関節が所定の閾値（第１閾値）以下の角度で外側に向かって傾斜していることが検出されたとき、被計測者の足型を外側荷重足型に分類し、被計測者の足首関節が所定の閾値（第１閾値）を越える角度で外側に向かって傾斜していることが検出されたとき、被計測者の足型を回外足型に分類する。
【００４３】
分類部１４６は、被計測者の足型が、上記した扁平型、土踏まず変形足型、凹足型、回内型、外側荷重足型及び回外足型のいずれにも分類されないとき、被計測者の足型を正常な足型に分類する。
【００４４】
図２に戻って、表示制御部１５１は、被計測者を圧力分布センサ１１上で静止状態させる指示内容と、分類部１４６によって分類された当該被計測者の足型とをディスプレイ２１に表示させるものである。
【００４５】
次に、図１０を参照しつつ足型分類装置１の動作について説明する。図１０は、足型分類装置１の動作を示すフローチャートである。図１０に示すように、計測が開始されると、まず、表示制御部１５１が、被計測者に対して、計測時間の間、圧力分布センサ１１上で静止することを指示する内容をディスプレイ２１に表示させる。被計測者は、ディスプレイ２１に表示されている内容にしたがって、圧力分布センサ１１で計測時間の静止する。このとき、圧力分布データ記憶部１３２に圧力分布データが記憶される。そして、領域切り出し部１４２が、圧力分布センサ１１における被計測者のそれぞれの足裏と接触する各接触領域６９を、矩形領域７０によって切り出す（ステップＳ１０１）。
【００４６】
次に、足裏湾曲状態検出部１４３の土踏まず検出部１４４が被計測者の足裏に係る土踏まずの状態を示すパラメータを検出する（Ｓ１０２）。そして、足裏湾曲状態検出部１４３は、土踏まず検出部１４４によって検出されたパラメータから土踏まず線分長比を算出し、当該土踏まず線分長比が０であるか否かを判断する（Ｓ１０３）。足裏湾曲状態検出部１４３が、土踏まず線分長比が０であると判断すれば（Ｓ１０３：ＹＥＳ）、分類部１４６が、被計測者の足型を扁平型に分類すると共に、足長線Ｈの長さＬ１に対する接触領域６９の前後方向に関する中央における幅Ｗｃｅｎｔｅｒの比である中央幅比を算出する（Ｓ１０４）。そして、分類部１４６が、中央幅比が扁平型に係る軽度、中度、重度のいずれに相当するかを判断する（Ｓ１０５）。分類部１４６は、中央幅比が軽度に相当する場合は（Ｓ１０５：軽度）、被計測者の足型を軽度の扁平型に分類し（Ｓ１０６）、中央幅比が中度に相当する場合は（Ｓ１０５：中度）、被計測者の足型を中度の扁平型に分類し（Ｓ１０７）、中央幅比が重度に相当する場合は（Ｓ１０５：重度）、被計測者の足型を重度の扁平型に分類する（Ｓ１０８）。そして、ディスプレイ２１に分類結果を表示してフローチャートを終了する。
【００４７】
一方、足裏湾曲状態検出部１４３が、土踏まず線分長比が０でないと判断すれば（Ｓ１０３：ＮＯ）、足首傾斜状態検出部１４５が、被計測者の足首関節の傾斜状態を検出し（Ｓ１０９）、被計測者の足首関節が傾斜しているか否かを判断する（Ｓ１１０）。足首傾斜状態検出部１４５が、被計測者の足首関節が傾斜していると判断すれば（Ｓ１１０：ＹＥＳ）、分類部１４６が、足首関節の傾斜方向を判断する（Ｓ１１１）。分類部１４６が、被計測者の足首関節が内側に向かって傾斜していると判断した場合は（Ｓ１１１：内側）、被計測者の足型を回内型に分類し（Ｓ１１２）、被計測者の足首関節が所定の閾値（第１閾値）以下の角度で外側に向かって傾斜していると判断した場合は（Ｓ１１１：外側）、被計測者の足型を外側荷重足型に分類し（Ｓ１１３）、被計測者の足首関節が所定の閾値（第１閾値）を越える角度で外側に向かって傾斜していると判断した場合は（Ｓ１１１：外側大）、被計測者の足型を回外足型に分類する（Ｓ１１４）。そして、ディスプレイ２１に分類結果を表示してフローチャートを終了する。
【００４８】
一方、足首傾斜状態検出部１４５が、被計測者の足首関節が傾斜していないと判断すれば（Ｓ１１０：ＮＯ）、分類部１４６が、足裏湾曲状態検出部１４３によって検出された湾曲状態から被計測者の足裏が過剰に湾曲しているか否かを判断する（Ｓ１１５）。分類部１４６は、被計測者の足裏が過剰に湾曲していると判断すれば（Ｓ１１５：ＹＥＳ）、被計測者の足型を凹足型に分類すると共に、土踏まず検出部１４４によって検出された幅Ｗｍｉｎの位置を判断する（Ｓ１１６）。分類部１４６は、幅Ｗｍｉｎが接触領域６９の前後方向に関する中央から所定範囲内に位置している場合は（Ｓ１１６：中央）、被計測者の足型を凹足型の中央型に分類し（Ｓ１１７）、幅Ｗｍｉｎが当該所定範囲より後方側に位置しているときは（Ｓ１１６：後方）、被計測者の足型を凹足型の後方型に分類し（Ｓ１１８）、幅Ｗｍｉｎが０になっているときは被計測者の足型を凹足型の分割型に分類する（Ｓ１１９）。そして、ディスプレイ２１に分類結果を表示してフローチャートを終了する。
【００４９】
一方、分類部１４６は、被計測者の足裏が過剰に湾曲していないと判断すれば（Ｓ１１５：ＮＯ）、足裏湾曲状態検出部１４３によって検出された湾曲状態から被計測者の足裏の土踏まずが変形しているか否かを判断する（Ｓ１２０）。分類部１４６は、被計測者の足裏の土踏まずが変形していると判断すれば（Ｓ１２０：ＹＥＳ）、被計測者の足型を土踏まず変形足型に分類する（Ｓ１２１）。そして、ディスプレイ２１に分類結果を表示してフローチャートを終了する。
【００５０】
最後に、分類部１４６は、被計測者の足裏の土踏まずが変形していないと判断すれば（Ｓ１２０：ＮＯ）、被計測者の足型を正常な足型に分類する。そして、ディスプレイ２１に分類結果を表示してフローチャートを終了する。
【００５１】
以上説明したように、本実施形態の足型分類装置１は、圧力分布センサ１１を用いて、被計測者の足型を、歩行に関する運動能力の指標となる被計測者の足型を、扁平型、回内足型、外側荷重足型、回外足型、凹足型、土踏まず変形足型及び正常な足型に分類するため、分類結果に基づいて、被計測者の歩行に関する運動能力を容易に把握することができる。これにより、指導者が、被計測者の運動能力を回復させる適切な運動プログラムを指示することができる。
【００５２】
また、分類部１４６が、足首傾斜状態検出部１４５によって、被計測者の足首関節が内側に向かって傾斜していることが検出されたとき、被計測者の足型を回内型に分類し、被計測者の足首関節が所定の閾値以下の角度で外側に向かって傾斜していることが検出されたとき、被計測者の足型を外側荷重足型に分類し、被計測者の足首関節が所定の閾値を越える角度で外側に向かって傾斜していることが検出されたとき、被計測者の足型を回外足型に分類する。これにより、被計測者の足型を、歩行に関する運動能力の指標として好適な、回内足型、外側荷重足型及び回外足型に容易に分類することができると共に、被計測者の歩行に関する運動能力を正確に把握することができる。
【００５３】
このとき、足首傾斜状態検出部１４５が、計測時間内において内側領域７２に加えられた圧力の積分値である内側荷重値Ｒ１と、計測時間内において外側領域７３に加えられた圧力の積分値の比率である外側荷重値Ｒ２との差から、当該被計測者の足首関節の傾斜状態を検出する。これにより、簡単なアルゴリズムにより、足首関節の傾斜状態を素早く検出することができる。また、各領域に加えられた圧力が積分されているため、被計測者の静止状態が不安定な場合であっても、被計測者の足首関節の傾斜状態を正確に検出することができる。
【００５４】
さらに、分類部１４６が、足裏湾曲状態検出部１４３によって検出された足裏の湾曲状態に基づいて、被計測者の足型を、歩行に関する運動能力の指標として好適な、扁平型、凹足型及び土踏まず変形足型に分類するため、被計測者の歩行に関する運動能力を正確に把握することができる。
【００５５】
このとき、足裏湾曲状態検出部１４３が、土踏まず線分Ｈ’の長さＬ２を用いて足裏の湾曲状態を検出するため、足裏の湾曲状態を容易に検出することができる。
【００５６】
さらに、このとき、土踏まず検出部１４４が、矩形領域７０における前後方向に関する後方端から１／４の部分領域７４において、最も高い圧力が加えられる点を踵重心位置Ｐ２として検出するため、正確な踵重心位置を容易に得ることができる。
【００５７】
また、土踏まず検出部１４４が、接触領域６９における左右方向に関して最も大きい幅Ｗｍａｘにおいて、内側から３７．５％の位置を仮想第２指重心位置Ｐ１として検出し、踵重心位置Ｐ２及び仮想第２指重心位置Ｐ１から第２指重心位置Ｐ３を検出する。このため、第２指が圧力分布センサ１１に接触していなくても、第２指重心位置を推定することができる。
【００５８】
加えて、分類部１４６が、土踏まず線分長比が０であるとき、被計測者の足型を扁平型に分類するため、被計測者の足型を扁平型に容易に分類することができる。さらに、分類部１４６が、土踏まず線分長比が所定の閾値以下であるとき、土踏まずが変形しているとして、被計測者の足型を土踏まず変形足型に分類する。このため、足裏のサイズに影響されることなく、被計測者の足型を土踏まず変形足型に容易に且つ正確に分類することができる。
【００５９】
また、足裏湾曲状態検出部１４３が、足長線Ｈの長さＬ１に対する、幅Ｗｍｉｎの長さの比である幅比を被計測者の足裏の湾曲状態として検出するため、足裏のサイズに影響されることなく、より正確に湾曲状態を検出することができる。
【００６０】
そして、分類部１４６が、幅比が所定の閾値以下であるとき、足裏が過剰に湾曲しているとして、被計測者の足型を凹足型に分類するため、被計測者の足型を、凹足型に容易に分類することができる。
【００６１】
以上、本発明の好適な実施形態について説明したが、本発明は上述の実施形態に限られるものではなく、特許請求の範囲に記載した限りにおいて様々な設計変更が可能なものである。例えば、上述の実施形態では、足型分類装置１が、被計測者の足型を、扁平型、回内足型、外側荷重足型、回外足型、凹足型、土踏まず変形足型及び正常な足型に分類する構成であるが、これらの一部のみの足型に分類する構成でもよいし、他の歩行に関する運動能力に対応する足型に分類する構成であってもよい。
【００６２】
また、上述した実施形態においては、足首傾斜状態検出部１４５が、内側荷重値Ｒ１と外側荷重値Ｒ２との差から当該被計測者の足首関節の傾斜状態を検出する構成であるが、他のアルゴリズムによって足首関節の傾斜状態を検出する構成であってもよい。例えば、前方領域７１における重心位置から足首関節の傾斜状態を検出してもよい。
【００６３】
加えて、上述した実施形態においては、足裏湾曲状態検出部１４３が、土踏まず線分Ｈ’の長さＬ２を用いて足裏の湾曲状態を検出する構成であるが、他のアルゴリズムによって足首関節の傾斜状態を検出する構成であってもよい。例えば、接触領域６９の形状から直接的に足裏の湾曲状態を検出してもよい。
【００６４】
さらに、上述した実施形態においては、扁平型、外側荷重足型、回外足型、回内足型、凹足型及び土踏まず変形足型の順に優先的に足型を分類する構成となっているが、この優先順序は任意のものであってよい。また、被計測者に対して複数種類の足型を分類する構成であってもよい。
【００６５】
加えて、上述した本実施形態においては、足型分類装置１は、足型を分類するに留まる構成であるが、足型を分類した後に、分類された足型に対応する運動機能を改善するための運動プログラムをディスプレイ２１に表示する構成であってもよい。
【００６６】
さらに、上述した本実施形態においては、足型分類装置１が足型の分類結果のみをディスプレイ２１に表示する構成であるが、分類結果と共に接触領域６９や各種パラメータをディスプレイ２１に表示させる構成であってもよい。これにより、指導員は被計測者の運動能力さらに詳細に把握することができる。
【図面の簡単な説明】
【００６７】
【図１】本発明の第１の実施形態に係る足型分類装置の概略構成を示す外観図である。
【図２】図１の足型分類装置の機能ブロック図である。
【図３】図１の圧力分布センサ上で被計測者が立位静止状態をとっているときの、圧力分布センサに対する荷重状態を示した図である。
【図４】図２の土踏まず検出部の機能を説明するための図である。
【図５】図２の足首傾斜状態検出部の機能を説明するための図である。
【図６】図２の分類部によって分類される扁平型の接触領域を示した図である。
【図７】図３の接触領域と扁平型との関係を示した図である。
【図８】図２の分類部によって分類される土踏まず変形足型の例を示した図である。
【図９】図２の分類部によって分類される凹足型の例を示した図である。
【図１０】図１に示す足型分類装置の動作を示すフローチャートである。
【符号の説明】
【００６８】
１     足型分類装置
１１   圧力分布センサ
１１ａ 感圧センサ
１２   圧力検出部
２１   ディスプレイ
３０   制御部
６９   接触領域
７０   矩形領域
７１   前方領域
７２   内側領域
７３   外側領域
７４   部分領域
１３１ 検知部
１３２ 圧力分布データ記憶部
１４１ 足型分類部
１４２ 領域切り出し部
１４３ 足裏湾曲状態検出部
１４４ 土踏まず検出部
１４５ 足首傾斜状態検出部
１４６ 分類部
１５１ 表示制御部
【図１】
2010069229.tif 000003
【図２】
2010069229.tif 000004
【図３】
2010069229.tif 000005
【図４】
2010069229.tif 000006
【図５】
2010069229.tif 000007
【図６】
2010069229.tif 000008
【図７】
2010069229.tif 000009
【図８】
2010069229.tif 000010
【図９】
2010069229.tif 000011
【図１０】
2010069229.tif 000012